(57)【要約】【課題】  複雑な表面を有する物品の装飾用印刷層に見る向きによって異なる模様となるように特異な変化性を付与する。【解決手段】  物品本体１２の印刷層１４上に透明樹脂製の表面保護層１６と多数の凸レンズ状の突起１８とを水圧転写によって形成する。凸レンズ状の多数の突起１８は、任意の連続パターンを形成しており、印刷層１４は、この凸レンズ状の突起１８の連続パターンとほぼ同じ連続パターンを有し且つこの凸レンズ状の突起１８の連続パターンに対して変位している。このようにすると、印刷層１４と凸レンズ状の突起１８との重なりの具合によって見る方向によって印刷層１４の模様が変化する。【選択図】        図１
2005059330.tif 000002
【特許請求の範囲】
【請求項１】
物品の三次元表面上に形成された印刷層と前記印刷層を覆う透明樹脂の表面保護層とから成り、前記表面保護層上には凸レンズ状の多数の突起が形成されていることを特徴とする表面装飾物品。
【請求項２】
請求項１に記載の表面装飾物品であって、前記凸レンズ状の多数の突起は、任意の連続パターンを形成しており、前記印刷層は、前記凸レンズ状の突起の連続パターンとほぼ同じ連続パターンを有し且つ前記凸レンズ状の突起の連続パターンに対して変位している模様を有することを特徴とする表面装飾物品。
【請求項３】
請求項１に記載の表面装飾物品であって、前記印刷層は、水溶性フィルム上に印刷された模様が水圧転写して形成されたものであり、前記凸レンズ状の突起も水溶性フィルム上に塗布された紫外線硬化型透明樹脂塗料を水圧転写して形成されたものであることを特徴とする表面装飾物品。
【請求項４】
請求項１に記載の表面装飾物品であって、前記印刷層は、水溶性フィルム上に印刷された模様が水圧転写して形成されたものであり、前記表面保護層及び凸レンズ状の突起も水溶性フィルム上に塗布された紫外線硬化型透明樹脂塗料を水圧転写して形成されたものであることを特徴とする表面装飾物品。
【請求項５】
請求項１乃至４に記載の表面装飾物品であって、前記凸レンズ状の突起は、半球状又は蒲鉾状であることを特徴とする表面装飾物品。
【請求項６】
水溶性フィルム上の印刷パターンを物品の表面に水圧転写
する工程と前記物品上に前記印刷パターンが転写されて形成された印刷層上に透明樹脂の表面保護層を形成する工程とを備えた物品表面の装飾方法において、前記表面保護層の上に凸レンズ状の多数の突起を形成する工程を更に備え、前記突起を形成する工程は、水溶性フィルム上に点在模様状に印刷された紫外線硬化型透明樹脂塗料を前記物品上の表面保護層上に水圧転写して前記点在模様を前記凸レンズ状の突起とする工程であることを特徴とする物品の表面装飾方法。
【請求項７】
水溶性フィルム上の印刷パターンを物品の表面に水圧転写する工程と前記物品上に前記印刷パターンが転写されて形成された印刷層上に透明樹脂の表面保護層を形成する工程とを備えた物品表面の装飾方法において、前記表面保護層の上に凸レンズ状の多数の突起を形成する工程を更に備え、前記表面保護層を形成する工程と前記突起を形成する工程とは、水溶性フィルム上に点在凹凸模様状に印刷された紫外線硬化型透明樹脂塗料を前記物品上に形成された印刷層上に水圧転写して前記表面保護層と前記凸レンズ状の多数の突起とを同時に形成するように単一の工程で行われることを特徴とする物品の表面装飾方法。
【請求項８】
請求項６又は７に記載の物品の表面装飾方法であって、前記水溶性フィルム上には前記凸レンズ状の突起に相応する窪みが形成され、前記紫外線硬化型透明樹脂塗料は、前記窪みに埋められるように印刷された状態で、前記物品上に水圧転写されることによって前記窪み内の塗料が前記凸レンズ状の突起とすることを特徴とする物品の表面装飾方法。
【請求項９】
請求項６乃至８のいずれかに記載の物品の表面装飾方法であって、前記凸レンズ状の多数の突起は、任意の連続パターンを形成し、また前記印刷パターンは、前記凸レンズ状の突起が形成する連続パターンとほぼ同じ連続パターンであり且つ前記凸レンズ状の突起の連続パターンに対して変位していることを特徴とする物品の表面装飾方法。
【発明の詳細な説明】
【技術分野】
【０００１】
本発明は、物品の表面に適宜の手段で施された印刷パターン上に透明樹脂層を形成して表面が装飾された表面装飾物品及びこの表面装飾物品を形成するのに好適な物品表面装飾方法に関するものである。
【背景技術】
【０００２】
三次元的に複雑な表面を有する物品の表面を種々の手段で装飾することが行われているが、このような複雑な表面を有する物品の表面を装飾するために最も適切な方法は、水圧転写方法である。
【０００３】
この水圧転写方法は、水溶性フィルムの上に所定の非水溶性の印刷パターンが施されている転写フィルムを転写槽内を流れる水面上に順次供給して浮かばせ、この転写フィルムを水で湿潤し、この転写フィルムに接触させながら物品（被転写体）を転写槽内の水に浸漬し、水圧を利用して転写フィルム上の印刷パターンを物品の表面に転写して印刷層（装飾層）を形成する方法である。
【０００４】
このようにして表面が装飾された物品は、印刷層に物理的、化学的に安定した特性を付与するために、印刷パターンの表面を覆う透明樹脂の表面保護層（トップコート）を有する。この表面保護層は、例えば通常の溶剤系透明塗料をスプレーガンを用いて塗布されて形成されている。
【０００５】
一方、最近、装飾シートとして透明シートの表面に、凸レンズ状の多数の突起を任意の連続パターンで形成し、この透明シートの裏面に突起の連続パターンとほぼ同じ連続パターンを有する模様を突起の連続パターンに対して変位させて印刷することによって形成されている装飾シートが提案されている（特許文献１参照）。
【０００６】
この装飾シートは、見る方向によって模様が変化するので、この装飾シートが貼り付けられた物体に特異な装飾性を付与することができる。しかし、この装飾シートは、壁等の構造物に貼り付けて用いるのに適合しているが、複雑な三次元の表面を有する物品に貼り付けて物品を装飾するのには適合していない。
【０００７】
【特許文献１】特許第２７６１８６１号公報
【発明の開示】
【発明が解決しようとする課題】
【０００８】
本発明が解決しようとする１つの課題は、複雑な三次元的表面を有する物品に見る方向によって模様が変化する装飾を施すことができる表面装飾物品を提供することにある。
【０００９】
本発明が解決しようとする他の課題は、複雑な三次元的表面を有する物品に見る方向によって模様が変化する装飾を施すことができる表面装飾物品を容易に得ることができる物品表面装飾方法を提供することにある。
【課題を解決するための手段】
【００１０】
本発明の第１の課題解決手段は、物品の三次元表面上に形成された印刷パターンとこの印刷層を覆う透明樹脂の表面保護層とから成り、この表面保護層上には凸レンズ状の多数の突起が形成されていることを特徴とする表面装飾物品を提供することにある。
【００１１】
この第１の課題解決手段において、凸レンズ状の多数の突起は、任意の連続パターンを形成しており、印刷層は、凸レンズ状の突起の連続パターンとほぼ同じ連続パターンを有し且つ凸レンズ状の突起の連続パターンに対して変位している模様を有するのが好ましい。
【００１２】
特に、印刷層は、水溶性フィルム上に印刷された模様を水圧転写して形成することができ、また凸レンズ状の突起も水溶性フィルム上に塗布された紫外線硬化型透明樹脂塗料を水圧転写して形成することができる。
【００１３】
一層好ましくは、印刷層は、水溶性フィルム上に印刷された模様を水圧転写して形成することができ、また表面保護層及び凸レンズ状の突起も水溶性フィルム上に塗布された紫外線硬化型透明樹脂塗料を水圧転写して形成することができる。
【００１４】
本発明の第２の課題解決手段は、水溶性フィルム上の印刷層を物品の表面に水圧転写する工程とこの物品上に転写された印刷パターン上に透明樹脂の表面保護層を形成する工程とを備えた物品表面の装飾方法において、表面保護層の上に凸レンズ状の多数の突起を形成する工程を更に備え、突起を形成する工程は、水溶性フィルム上に点在模様状に印刷された紫外線硬化型透明樹脂塗料を物品上の表面保護層上に水圧転写して点在模様を凸レンズ状の突起とする工程であることを特徴とする物品の表面装飾方法を提供することにある。
【００１５】
本発明の第３の課題解決手段は、水溶性フィルム上の印刷層を物品の表面に水圧転写する工程とこの物品上に転写された印刷層上に透明樹脂の表面保護層を形成する工程とを備えた物品表面の装飾方法において、表面保護層の上に凸レンズ状の多数の突起を形成する工程を更に備え、表面保護層を形成する工程と突起を形成する工程とは、水溶性フィルム上に点在凹凸模様状に印刷された紫外線硬化型透明樹脂塗料を物品上に転写された印刷層上に水圧転写して表面保護層と凸レンズ状の多数の突起とを同時に形成するように単一の工程で行われることを特徴とする物品の表面装飾方法を提供することにある。
【００１６】
この第２及び第３の課題解決手段において、水溶性フィルム上には凸レンズ状の突起に相応する窪みが形成され、紫外線硬化型透明樹脂塗料は、この窪みに埋められるように印刷された状態で、物品上に水圧転写されることによって窪み内の塗料物質を凸レンズ状の突起とするのが好ましい。
【００１７】
また、凸レンズ状の多数の突起は、任意の連続パターンを形成し、また印刷層は、凸レンズ状の突起が形成する連続パターンとほぼ同じ連続パターンであり且つ凸レンズ状の突起の連続パターンに対して変位している模様を有するのが好ましい。
【発明の効果】
【００１８】
このように、物品の三次元表面上に形成された印刷層を覆う透明樹脂の表面保護層上に凸レンズ状の多数の突起が形成されていると、表面保護層が印刷層の表面保護と印刷層に対する立体感等の変化性とを付与し、複雑な表面の物品に特異な装飾性を与えることができる。
【００１９】
特に、印刷層はもちろん、表面保護層及び凸レンズ状の多数の突起も水圧転写技術を用いて物品の表面に形成すると、複雑な表面への印刷、表面保護及び模様変化性付与とをきわめて容易に行うことができ、高い効率でこれらの作業を行うことができる。
【００２０】
また、物品の表面保護層及び多数の突起を紫外線硬化型透明樹脂塗料を水圧転写して形成すると、物理的、化学的に優れた表面保護層及び模様変化性を付与する突起を形成することができ、装飾物品の寿命を向上することができる。
【発明を実施するための最良の形態】
【００２１】
本発明の実施の形態を図面を参照して詳細に述べると、図１は、本発明の１つの実施の形態による表面装飾物品１０を示し、この表面装飾物品１０は、所定のパターンを有する印刷層１４が形成された三次元表面を有する物品本体１２から成り、表面装飾物品１０は、この物品本体１２の印刷層１４を覆う透明樹脂の表面保護層１６を備え、この表面保護層１６上には凸レンズ状の多数の突起１８が形成されている。
【００２２】
凸レンズ状の多数の突起１８は、図２に示すように、任意の連続パターンを形成しており、印刷層１４は、この凸レンズ状の突起１８の連続パターンとほぼ同じ連続パターンを有し且つ凸レンズ状の突起１８の連続パターンに対して変位している模様を有するのが好ましい。
【００２３】
物品本体１２は、金属、プラスチック、木等の任意の材質から作られたものを対象とすることができ、印刷層１４は、この物品本体１２の三次元表面に任意の手段で施すことができるが、後に詳細に述べるように、水圧転写手段によって施すのが特に好ましい。
【００２４】
また、透明樹脂の表面保護層１６は、ある程度の層厚をもって形成する上ではスプレー手段等の従来技術による手段によって施すのが好適であるが、これも後に詳細に述べるように、水圧転写手段によって施すこともできる。
【００２５】
このように、物品本体１２の三次元表面上に形成された印刷層１４を覆う透明樹脂の表面保護層１６上に凸レンズ状の多数の突起１８が形成されていると、表面保護層１６が印刷層１４の表面を保護すると同時に、印刷パターン１４が見る方向によって変化したり、沈み込んで見えたり、或いは浮き上がって見えたりして、印刷層１４に模様変化性が付与される。このように、印刷層１４に模様変化性を付与すると、複雑な表面の物品１０に特異な装飾性を与えることができる。
【００２６】
この印刷層１４の見る方向によってその模様が変化して見える現象について詳細に述べると、図３に示すように、表面保護層１６の真上から見て印刷層１４の模様と表面保護層１６の凸レンズ状の突起１８とは、その位置に応じて全体が重なったり、部分的に重なったりする。図３（Ａ）に示すように、印刷層１４の模様部分１４Ｐが表面保護層１６の突起１８と完全に重なると、印刷層１４の模様部分１４Ｐは、どの方向から見ても認識される。一方、図３（Ｂ）に示すように、印刷層１４の模様部分１４Ｐが表面保護層１６の突起１８とが部分的に重なっていると、重なりがない部分から矢印Ａ方向に見ると、模様部分１４Ｐが認識されないが、逆に重なりがある矢印Ｂ方向から見ると、模様部分１４Ｐが認識される。従って、このように印刷層１４の模様部分１４Ｐと凸レンズ状の突起１８との重なり具合によって印刷層１４の模様部分１４Ｐが見る方向に応じて見えたり消えたり、沈み込んで見えたり、或いは浮き上がって見えたりして変化する。
【００２７】
特に、図２に示すように、印刷層１４が凸レンズ状の突起１８の連続パターンとほぼ同じであり、且つ凸レンズ状の突起１８の連続パターンに対して変位している模様を有すると、その特異な装飾性を一層向上することができるので好ましい。
【００２８】
なお、凸レンズ状の突起１８は、任意の形態とすることができるが、図３に示すように、特に半球状又は蒲鉾状であるのが好ましい。
【００２９】
本発明の表面装飾物品１０において、印刷層１４及び表面保護層１６並びにその突起１８は、任意の手段によって形成することができるが、最も好ましくは、印刷層１４は、水圧転写手段、即ち水溶性フィルム上に印刷された模様を水圧転写する方法によって形成することができ、また凸レンズ状の突起１８も、水圧転写手段、即ち水溶性フィルム上に塗布された紫外線硬化型透明樹脂塗料を水圧転写する方法によって形成することができる。
【００３０】
この場合、凸レンズ状の突起１８だけでなく、表面保護層１６も凸レンズ状の突起と共に、水溶性フィルム上に塗布された紫外線硬化型透明樹脂塗料を水圧転写して形成することができる。
【００３１】
また、凸レンズ状の突起は、種々の形態とすることができるが、特に半球状又は蒲鉾状であるのが好ましい。
【００３２】
本発明によって物品本体１２に水圧転写手段によって印刷層１４と表面保護層１６と多数の突起１８とを形成して物品の表面を装飾する方法が図４以下に示されている。
【００３３】
まず、図４（Ａ）に示すように、物品本体１２に印刷層１４を水圧転写するための転写フィルム２０を介して物品本体１２を転写槽内の水２６中に浸漬して印刷層１４を形成する（図１４（Ｂ）参照）。
【００３４】
転写フィルム２０は、図５に示すように、水を吸収して湿潤し軟化する例えばポリビニールアルコールを主成分とする水溶性材料から成っている水溶性フィルム２０Ｆとこの水溶性フィルム２０Ｆにグラビア印刷などによって施された印刷パターン２０Ｐから成っている。
【００３５】
この転写フィルム２０は、転写槽内の水面上に印刷パターン２０Ｐが上になるように転写槽２２の水２６に浮かばせ、物品本体１２の浸漬によって受ける水圧によって印刷パターン２０Ｐを物品本体１２の表面に転写する。印刷パターン２０Ｐは、乾燥状態にある場合には、浸漬前に、溶剤等の適宜のインク活性剤によって印刷直後と同等の湿潤状態に復元する。
【００３６】
次いで、図４（Ｃ）に示すように、物品本体１２上の印刷層１４の上に表面保護層１６及び突起１８を水圧転写するための転写フィルム２２を介して物品本体１２を転写槽内の水２６中に浸漬して表面保護層１６及び突起１８を形成する（図１４（Ｄ）参照）。
【００３７】
転写フィルム２２は、図６に示すように、転写フィルム２０と同様に例えばポリビニールアルコールを主成分とする水溶性材料から成っている水溶性フィルム２２Ｆとこの水溶性フィルム２２Ｆに適宜の印刷方法によって施された紫外線硬化型透明樹脂塗料２２Ｐとから成っている。図示のように、水溶性フィルム２２Ｆ上には凸レンズ状の突起１８に相応する窪み２２Ｆｃが形成され、紫外線硬化型透明樹脂塗料２２Ｐは、この窪み２２Ｆｃに埋められるように印刷される。紫外線硬化型透明樹脂塗料２２Ｐの窪み２２Ｆｃ内の塗料物質２２Ｐｃが凸レンズ状の突起１８となり、その上の塗料物質層部分２２Ｐｓが表面保護層１６となる。
【００３８】
この転写フィルム２２は、転写槽内の水２６の水面上に紫外線硬化型透明樹脂塗料２２Ｐが上になるように転写槽の水２６に浮かばせ、物品本体１２の浸漬によって受ける水圧によって印刷層１４の上に転写する。
【００３９】
紫外線硬化型透明樹脂塗料２２Ｐは、転写後、紫外線照射を受けて硬化され、表面保護層１６及び突起１８が形成される。
【００４０】
図４の形態では、表面保護層１６と突起１８とが水圧転写手段によって同時に形成されたが、表面保護層１６は、突起１８とは別工程で水圧転写手段又はスプレー手段によって形成し、その上に突起１８を水圧転写によって形成してもよい。
【００４１】
この場合、突起転写用の転写フィルム２４は、図７に示すように、水溶性フィルム２４Ｆ上に点在模様状に印刷された紫外線硬化型透明樹脂塗料２４Ｐを点在模様状に印刷して形成することができる。
【００４２】
紫外線硬化型塗料２２Ｐ、２４Ｐは、例えば、次の組成を有する成分から成っている。
（１）オリゴマー              ３０〜５０重量％
（２）多官能性アクリレート    １０〜３０重量％
（３）単官能性アクリレート    １０〜４０重量％
（４）非反応添加物              １〜２０重量％
（５）光開始剤                ０．５〜５重量％
（６）溶剤                                残部
【００４３】
オリゴマーは、塗料の付着性や物性に影響を与える成分であるが、所望の特性に応じてアクリル系オリゴマー、ポリエステル系オリゴマー、エポキシアクリレート系オリゴマー、ウレタンアクリレート系オリゴマー等のいずれかを単独又は任意に組み合わせて使用することができる。
【００４４】
単官能性アクリレートモノマーは、反応性の希釈剤であり、また多官能性アクリレートモノマーは、架橋成分であり、紫外線硬化後に、塗料に化学的、機械的に優れた特性を付与する。
【００４５】
ポリアクリル酸メチルなどのポリアクリレートは、架橋成分による塗膜の収縮作用を緩和する目的で使用される。塗膜の収縮力が高くなると、塗膜の付着性を低下するので、これを防止するのに役立つ。
【００４６】
光開始剤としてはアセトフェノン、ベンゾフェノンなどの公知のものを使用することができ、また溶剤としては、酢酸エチル、酢酸ブチル、プロピレングリコールモノメチルアルコールアセテート、アノン、トルエン、キシレン等を用いることができる。
【００４７】
紫外線硬化型透明塗料は、グラビア印刷、スクリーン印刷、パッド印刷、インクジェット印刷等の印刷技術又はスプレー塗装技術のいずれかの方法で水溶性フィルム２２Ｆ、２４Ｆに塗布することができ、また紫外線硬化で短時間に硬化させることができるので、印刷パターンとしての凸レンズ状突起の形状をそれほど崩すことなく転写によって形成することができて好適である。
【産業上の利用可能性】
【００４８】
本発明によれば、複雑な三次元的表面を有する物品に模様変化性のある装飾を施すことができる表面装飾物品を容易に提供することができ、従って特異な装飾性を有することが望まれる複雑な表面を有する物品に好適に利用することができる。
【図面の簡単な説明】
【００４９】
【図１】本発明による表面装飾物品の表面部分の拡大断面図である。
【図２】図１に示された表面装飾物品の一部の上面図である。
【図３】図１の表面装飾物品の印刷層と表面保護層との異なる位置関係を示し、同図（Ａ）は、印刷層の１つの模様部分と１つの突起とが完全に重なっている状態の拡大断面図、同図（Ｂ）は印刷層の１つの模様部分と１つの突起とが部分的に重なっている状態の拡大断面図である。
【図４】本発明の物品表面装飾方法を工程順に示し、同図（Ａ）は、物品本体に印刷層を形成する工程の説明図、同図（Ｂ）は、同図（Ａ）によって得られた印刷層を有する物品の表面部分の拡大断面図、同図（Ｃ）は、印刷層の上に表面保護層及び突起を形成する工程の説明図、同図（Ｄ）は、同図（Ｃ）によって得られた表面保護層及び突起を有する物品の表面部分の拡大断面図である。
【図５】図４（Ａ）の工程に用いられる転写フィルムの拡大断面図である。
【図６】図４（Ｃ）の工程に用いられる転写フィルムの拡大断面図である。
【図７】本発明の異なる表面装飾方法に用いられる突起転写用転写フィルムの拡大断面図である。
【符号の説明】
【００５０】
１０  表面装飾物品
１２  物品本体
１４  印刷層
１６  表面保護層
１８  突起
２０  印刷用転写フィルム
２０Ｆ  水溶性フィルム
２０Ｐ  印刷パターン
２２  表面保護層及び突起用転写フィルム
２２Ｆ  水溶性フィルム
２２Ｐ  紫外線硬化型塗料
２２Ｐｃ  突起用塗料物質部分
２２Ｐｓ  表面保護層用塗料物質部分
２４  突起用転写フィルム
２４Ｆ  水溶性フィルム
２４Ｐ  突起用紫外線硬化型塗料
【図１】
2005059330.tif 000003
【図２】
2005059330.tif 000004
【図３】
2005059330.tif 000005
【図４】
2005059330.tif 000006
【図５】
2005059330.tif 000007
【図６】
2005059330.tif 000008
【図７】
2005059330.tif 000009